(57)【要約】【課題】扉内側の食品収納性を高め、開扉力が左右均等でかつ小さく、使い勝手の良い扉装置を提供する。【解決手段】断熱箱体の上部に形成した貯蔵室の開口部に設けられた観音開式扉４６，４７の非支持側の側面に枠板５１，５２に取り付けられた仕切体６８，６９を設け、仕切体６８，６９の外周には円筒状または円柱状の柔軟性ガスケット６４，６５が回動可能に取付けられているので、両扉４６，４７のいずれか一方および両方を閉鎖する場合には必ず回転してその外周面にて密着し、また扉４６，４７のいずれか一方および両方を開放する場合にも必ず回転して離間するため、扉４６，４７の閉鎖時および開放時の抵抗が少なく、扉４６，４７を小さい操作力で円滑に開閉操作をすることができる。【選択図】図４
2005226963.tif 000002
【特許請求の範囲】
【請求項１】
箱体の開口部において外周部の一側面を対向させて左右に配置した二つの扉と、前記二つの扉の裏面に設けられ閉扉時に前記箱体の開口部前縁に密着するガスケットと、前記二つの扉の対向する一側面に配置されて閉扉時に相互に密着し、かつ前記ガスケットと密着する一対の仕切体を備えて、前記一対の仕切体は円筒状または円柱状のガスケットを備え、かつ回転可動とすることを特徴とする観音開き式冷蔵庫。
【請求項２】
円筒状または円柱状の回転可動する一対のガスケットを左右扉共、同一構造としたことを特徴とする請求項１に記載の観音開き式冷蔵庫。
【請求項３】
円筒状または円柱状の回転可動する一対のガスケットの内部に発熱体を配設したことを特徴とする請求項１または２に記載の観音開き式冷蔵庫。
【請求項４】
円筒状または円柱状の回転可動する一対のガスケットの表面にヒレを設けたことを特徴とする請求項１から３のいずれか一項に記載の観音開き式冷蔵庫。
【請求項５】
円筒状または円柱状の回転可動する一対のガスケットをそれぞれの扉側面に埋設し、一部を突出させたことを特徴とする請求項１から４のいずれか一項に記載の観音開き式冷蔵庫。
【請求項６】
冷蔵庫扉の庫内側食品収納用ポケットを扉の略全幅に亘って設けたことを特徴とする請求項１から５のいずれか一項に記載の観音開き式冷蔵庫。
【請求項７】
庫内を上下に仕切る仕切壁を備え上下に貯蔵室を有し、それぞれの貯蔵室の前面開口部を覆う扉を備えた冷蔵庫において、ひとつの貯蔵室の前面開口部に左右に配置した二つの扉の扉間隔を、上下に対向する扉間隔よりも狭く設定したことを特徴とする請求項１から６のいずれか一項に記載の観音開き式冷蔵庫。
【発明の詳細な説明】
【技術分野】
【０００１】
本発明は、箱体の開口部を密閉，開放させる観音開き式冷蔵庫に関するものである。
【背景技術】
【０００２】
従来、この種の扉装置としては観音開き式の扉を有する冷蔵庫は両扉の裏面に設けたガスケットによって庫内を気密に保つため扉の非枢支側に位置するガスケットが当接する面を形成しなければならず、そのため断熱箱体の開口部を区画する閉塞材を取り付けている。（例えば、特許文献１参照）
図５から図８は、特許文献１に記載された従来の観音開き式冷蔵庫の扉装置を示すものである。図５は従来の冷蔵庫の斜視図である。図６は従来の冷蔵庫の庫内斜視図である。図７は、従来の冷蔵庫の開口部平面断面図である。図８は、従来の冷蔵庫の扉の斜視図である。
【０００３】
図５から図８において、１は冷蔵庫であり、鋼板製の外箱２と合成樹脂を形成して成る内箱３と、両箱２，３間に充填される図示しない発泡断熱材とから前方に開口した断熱箱体４を構成し、この断熱箱体４の開口部５の左右縁部に上下ヒンジ６により回動自在に枢支された二枚の観音開式扉７，８によって開口部５を開閉自在に構成している。
【０００４】
扉７，８のそれぞれの非枢支側に位置する部分の断熱箱体４の開口５縁部の上下にはガイド部材９がそれぞれ相対向して設けられている。ガイド部材９内には案内溝１０が形成されている。扉７，８は枠部材１１，１２とそれに係合される扉外板１３，１４から成る外枠１５，１６と、枠部材１１，１２の内フランジ１７，１８を当接して成る扉内板２１，２２と外枠１５，１６及び扉内板２１，２２間にそれぞれ発泡充填された断熱材２３とから構成されている。
【０００５】
扉内板２１，２２にはそれぞれ左右一対の縦壁２４，２５が形成され、又、枠部材１１，１２端部の溝２６，２７には磁石内臓のガスケット２８が取り付けられ、そのヒレ２９は非枢支側の縦壁２４，２５にそれぞれ密接する。ガスケット２８は扉７，８の閉塞時に断熱箱体４の開口５の外箱２前縁に着磁して庫内３０をシールする。
【０００６】
さらに扉７の裏面の非枢支側に位置するガスケット２８より内側の縦壁２４の外側には断面略短形状の仕切体３１が取り付けられる。３２はヒンジ板であり、縦壁２４の外側面において上下二箇所、断熱材２３側の補強板３３にネジ３４にて固定され、仕切体３１はこのヒンジ板３２の回動軸３５に回動自在に支持されている。仕切体３１は開口５縁を上下に渡る長さであって上下のガイド部材９、９の案内溝１０、１０の間隔よりも少許短い寸法で上下に延在しており、前面は平面として図１０の如く鋼板３６が取り付けられている。
【０００７】
さらにその上下端には係合部として突起３７が上下方向にそれぞれ突出形成されている。ヒンジ板３２は仕切体３１の扉７側の後縁部に上下二箇所形成した切欠部３８より仕切体３１内に挿入されてそこに回動軸３５を位置せしめており、この回動軸３５にはコイルばねから成るバネ部材３９が挿通され、一端をヒンジ板３２に、又、他端を回動軸３５から離間した仕切体３１内の爪４０にそれぞれ係合しており、その復元力により仕切体３１を常時図９中矢印如く時計回りに回動する様構成されている。
【０００８】
以上のように構成された従来の扉装置について、以下その動作を説明する。
【０００９】
まず仕切体３１は扉７が開放された状態でバネ部材３９の復元力によって図９中破線で示す如く、扉内板２１の縦壁２４外側面に沿ってネジ３４に当接した状態で保持されている。この初期状態において使用者の手が誤って仕切体３１に当たって図９中反時計回りに回動させられても、バネ部材３９によって初期状態に復帰できる。この動作は仕切体３１の回動角度に無関係に行われるので仕切体３１が回動されたまま扉７が閉じられガイド部材９の突部に仕切体の突起３７が衝突して破損することを防止できる。
【００１０】
逆に扉７を開ける場合は突起３７が案内溝１０内の曲面に沿って摺動しバネ部材３９の復元力によって時計回りに回動させられ、やがて初期状態に復帰する。
【特許文献１】特開平１−２０８６９０号公報
【発明の開示】
【発明が解決しようとする課題】
【００１１】
しかしながら、上記従来の構成では、縦壁２４，２５を扉の枢支側に移動させなければならない。このため扉７，８内の食品収納スペースが減少し食材収納においては使用者にとって使い勝手の悪い冷蔵庫となってしまう欠点があった。さらに仕切体３１が取り付けられていない側の扉８開時に仕切体３１が食品の取出し面積を減じ、食品の取出し性を阻害してしまう欠点があった。
【００１２】
さらには、使用者が扉を閉めたと思っても摩擦力とバネ部材３９の反発力により不完全な閉まり方になった場合には、庫内温度が上昇し食品鮮度を低下させるという欠点もある。
【００１３】
本発明は従来の課題を解決するもので、扉内側の食品収納スペースを有効に確保し、食品取出し性を向上し、開扉力を小さくすると共に左右均等化し、使い勝手の良い扉装置を提供することを目的とする。
【課題を解決するための手段】
【００１４】
上記従来の課題を解決するために、本発明の観音開き式冷蔵庫は、箱体の開口部において外周部の一側面を対向させて左右に配置した二つの扉と、前記二つの扉の裏面に設けられ閉扉時に前記箱体の開口部前縁に密着するガスケットと、前記二つの扉の対向する一側面に配置されて閉扉時に相互に密着し、かつ前記ガスケットと密着する一対の仕切体を備えて、前記一対の仕切体は円筒状または円柱状のガスケットを備え、かつ回転可動とするものである。
【００１５】
これによって、両開閉扉を閉める場合、一対の仕切体の円筒状または円柱状のガスケットが当接した際には互いに回転して、扉閉め動作完了時点では外周面を互いに密着する。これにより、両開閉扉の隙間が密閉される。
【００１６】
また、両開閉扉のいずれか一方を閉める場合にも必ず円筒状または円柱状のガスケットは回転して密着する。また、両開閉扉のいずれか一方および両方を開放する場合にも必ず円筒状または円柱状のガスケットは回転するため、開閉扉の扉閉め時および開放時の抵抗が少なく、開閉扉を小さい操作力で円滑に開閉操作をすることができる。
【発明の効果】
【００１７】
本発明の観音開き式冷蔵庫は、従来の仕切体が仕切体を保持する側の扉開時に仕切体自身が回転するために必要である空間と、仕切体を備えない側の扉開時に仕切体の外側をその扉が回動するための空間を必要とせず、庫内側の食品収納スペースを増大できる。また、どちらの扉を開けても、仕切体が食品の取出しを阻害しない。さらに仕切体は左右同一構造体を持ち、開扉力を均等で小さいものを提供できる。また、回転仕切体表面のガスケットの耐久性を長期間保持することができる。
【発明を実施するための最良の形態】
【００１８】
請求項１に記載の発明は、箱体の開口部において外周部の一側面を対向させて左右に配置した二つの扉と、前記二つの扉の裏面に設けられ閉扉時に前記箱体の開口部前縁に密着するガスケットと、前記二つの扉の対向する一側面に配置されて閉扉時に相互に密着し、かつ前記ガスケットと密着する一対の仕切体を備えて、前記一対の仕切体は円筒状または円柱状のガスケットを備え、かつ回転可動とするものであり、従来の仕切体が仕切体を保持する側の扉開時に仕切体自身が回転するために必要である空間と仕切体を備えない側の扉開時に仕切体の外側をその扉が回動するための空間を必要とせず、庫内側の食品収納スペースを増大できる。
【００１９】
請求項２に記載の発明は、請求項１に記載の発明において、円筒状または円柱状の回転可動する一対のガスケットを左右扉共、同一構造としたものであり、左右回転扉の開扉力を小さくし左右均等なものを提供できる。
【００２０】
請求項３に記載の発明は、請求項１または２に記載の発明において、円筒状または円柱状の回転可動する一対のガスケットの内部に発熱体を配設したものであり、多湿条件下においても回転仕切体周辺の発汗を防止できる。
【００２１】
請求項４に記載の発明は、請求項１から３のいずれか一項に記載の発明において、円筒状または円柱状の回転可動する一対のガスケットの表面にヒレを設けたものであり、扉相互間の密着度が高まり庫内外のシール性が向上する。
【００２２】
請求項５に記載の発明は、請求項１から４のいずれか一項に記載の発明において、円筒状または円柱状の回転可動する一対のガスケットをそれぞれの扉側面に埋設し、一部を突出させたものであり、食品の取出しをスムーズに行なうことができる。
【００２３】
請求項６に記載の発明は、請求項１から５のいずれか一項に記載の発明において、冷蔵庫扉の庫内側食品収納用ポケットを扉の略全幅に亘って設けたものであり、食品収納スペースを増大することができる。
【００２４】
請求項７に記載の発明は、請求項1から６のいずれか一項に記載の発明において、庫内を上下に仕切る仕切壁を備え上下に貯蔵室を有し、それぞれの貯蔵室の前面開口部を覆う扉を備えた冷蔵庫において、ひとつの貯蔵室の前面開口部に左右に配置した二つの扉の扉間隔を、上下に対向する扉間隔よりも狭く設定したものであり、冷蔵庫全体の外観デザイン性や見栄えを向上させることが出来る。
【００２５】
以下、本発明の実施の形態について、図面を参照しながら説明する。なお、この実施の形態によってこの発明が限定されるものではない。
【００２６】
（実施の形態１）
図１は、本発明の実施の形態１における冷蔵庫の斜視図を示すものである。図２は同実施の形態における扉をはずした状態の冷蔵庫の斜視図を示すものである。図３は同実施の形態における扉装置の斜視図を示すものである。図４は同実施の形態における扉装置の断面Ａ−Ａ図を示すものである。
【００２７】
図１から図４において、４１は冷蔵庫本体であり、鋼板製の外箱１０２と樹脂にて形成された内箱１０３と、両箱１０２，１０３間に充填される図示しない発泡断熱材とから前方に開口した断熱箱体１０４を構成し、この断熱箱体１０４を上下に仕切る断熱壁を設け上部より冷蔵室１０５ａ，野菜室１０５ｂ，冷凍室１０５ｃが形成されている。そして、最上部の冷蔵室１０５ａは左右縁部１０５に上下ヒンジ１０６により回動自在に枢支された二枚の観音開式扉４６，４７によって開閉自在に構成されている。また、野菜室１０５ｂの前面には野菜室扉４２、冷凍室１０５ｃの前面には冷凍室扉４３を備えている。
【００２８】
次に、扉４６，４７は扉外板４８，４９と、扉４６，４７の非枢支側の側面にある枠板５１，５２と、枠板５１，５２の庫内側外周フランジに当接して成る扉内板５３，５４間にそれぞれ発泡充填された発泡断熱材５５とから構成されている。また、６２，６３は内板５３，５４によって扉４６，４７の裏面室内側に形成した食品収納用ポケットである。
【００２９】
図４において、扉４６，４７の非枢支側の側面に仕切体６８，６９が取付けられている。各仕切体６８，６９は上下方向に延びているもので、庫本体１０４の開口部４４の上下の幅と略同一の長さに形成されていて、各扉４６，４７を閉鎖した場合に開口部４４内に嵌入されるようになっており、また各仕切体６８，６９の外周には円筒状または円柱状の柔軟性ガスケット６４，６５が回動可能に取付けられている。当該冷蔵庫において、上側の扉４６，４７は前後方向へ回動することにより庫本体１０４の正面開口部４４を開閉するもので、扉４６，４７が共に押されて後方へ回動された状態においては、庫本体１０４の正面開口部４４が閉鎖されるとともに、この閉鎖状態においては扉４６，４７の先端部、および仕切体６８，６９の先端部が所定の隙間を保持して互いに対向するとともに、仕切体６８，６９に設けた柔軟性ガスケット６４，６５が当接して上記した隙間を閉塞する。これにより、扉４６，４７の背面の全外周縁部に設けたガスケット５６が庫本体１０４の開口部４４の正面側の全周縁部の前面に当接して、庫本体１０４の開口部４４を密閉する。
【００３０】
また、扉４６，４７の扉４６，４７の非枢支側の側面にある枠板５１，５２に凹部形状７０，７１を設け、凹部形状７０，７１に仕切体６８，６９をそれぞれ埋設し対向する側の一部を突出させている。また、扉４６，４７の仕切体６８，６９の構造を左右同一としている。
【００３１】
また、扉４６，４７の仕切体６８，６９の内部に発熱体例えばヒーター６６，６７などを配設している。また、扉４６，４７の仕切体６８，６９の柔軟性ガスケット６４，６５の表面にヒレ７３を仕切体６８，６９の長手方向に複数形成している。
【００３２】
また、扉４６，４７の裏面室内側に形成した食品収納用ポケット６２、６３は扉の略全幅に亘って設けている。
【００３３】
また、冷蔵室１０５ａの前面開口部に左右に配置した二つの扉４６，４７の扉間隔を、上下に対向する野菜室扉４２と冷凍室扉４３の扉間隔よりも狭く設定している。
【００３４】
上記構成により、仕切体６８，６９は、両扉４６，４７のいずれか一方および両方を閉鎖する場合には必ず回転してその外周面にて密着し、また扉４６，４７のいずれか一方および両方を開放する場合にも必ず回転して離間するため、扉４６，４７の閉鎖時および開放時の抵抗が少なく、扉４６，４７を小さい操作力で円滑に開閉操作をすることができる。また、仕切体６８，６９は、扉４６，４７の閉鎖時には回転して密着することから、閉鎖の都度密着部位が変化する。このため、柔軟性ガスケット６４，６５の密着部位を局部的に集中させることなく外周面の全面に分散させることができ、柔軟性ガスケット６４，６５の密着部位に発生する損傷を外周全体に分散させてこれを軽減させ、柔軟性ガスケット６４，６５の耐久性を長期間保持することができる。さらにまた、柔軟性ガスケット６４，６５は、扉４６，４７の開放時にも回転して離間することから、密着部位は小さい力で離間し、柔軟性ガスケット６４，６５を離間される場合に発生する損傷を軽減させることができ、この点からも柔軟性ガスケット６４，６５の耐久性を長期間保持することができる。
【００３５】
さらに扉４６，４７の仕切体６８，６９の構造を左右同一とすることで扉４６，４７の開扉力を左右均等とすることができ操作感が向上するとともに部品も共用できる。
【００３６】
さらに扉４６，４７の仕切体６８，６９の内部に発熱体例えばヒーター６６，６７などを配設することにより多湿条件下においても回転仕切体周辺に発汗しない冷蔵庫が提供できる。
【００３７】
さらに、扉４６，４７の仕切体６８，６９の柔軟性ガスケット６４，６５の表面にヒレ形状を有したものであり、ヒレ形状により空気層７２が形成され扉４６，４７相互間の密着度が高まり庫内外のシール性が向上する。
【００３８】
さらに扉４６，４７の扉４６，４７の非枢支側の側面にある枠板５１，５２に凹部形状７０，７１を設け凹部形状７０，７１に仕切体６８，６９をそれぞれ埋め込んだことにより仕切体が食品の取出しを阻害しない冷蔵庫を提供できる。
【００３９】
また、扉４６，４７の扉４６，４７の非枢支側の側面にある枠板５１，５２に凹部形状７０，７１を設け凹部形状７０，７１に仕切体６８，６９をそれぞれ埋め込んだことにより庫内側食品収納用ポケット６２，６３の幅を冷蔵庫扉の開閉動作に支障がない範囲まで拡大することが可能となり食品収納スペースを増大できる。
【００４０】
さらにまた、扉４６，４７の扉４６，４７の非枢支側の側面にある枠板５１，５２に凹部形状７０，７１を設け凹部形状７０，７１に仕切体６８，６９をそれぞれ埋め込んだことにより扉４６，４７の非枢支側の二つの扉の対向する側面の扉間隔を狭めることができ冷蔵庫のデザイン性や見栄えを向上させることが出来る。
【産業上の利用可能性】
【００４１】
以上のように、本発明にかかる観音開き式冷蔵庫は、開扉力を均等で小さくできるとともに、庫内側の食品収納スペースを増大できるので、観音開き式扉を有する冷却貯蔵庫等の用途にも適用できる。
【図面の簡単な説明】
【００４２】
【図１】本発明による冷蔵庫の実施の形態における冷蔵庫斜視図
【図２】同実施の形態における冷蔵庫の庫内斜視図
【図３】図１のＡ−Ａ線断面図
【図４】図１のＡ−Ａ線断面図の詳細図
【図５】従来の冷蔵庫の斜視図
【図６】従来の冷蔵庫の庫内斜視図
【図７】従来の冷蔵庫の開口部平面断面図
【図８】従来の冷蔵庫の扉背面からの斜視図
【符号の説明】
【００４３】
４１    冷蔵庫
４４    開口部
４６、４７    扉
５６    ガスケット
６２、６３    食品収納用ポケット
６４、６５    柔軟性ガスケット
６６、６７    ヒーター
６８、６９    仕切体
１０５ａ    冷蔵室
１０５ｂ    野菜室
１０５ｃ    冷凍室
【図１】
2005226963.tif 000003
【図２】
2005226963.tif 000004
【図３】
2005226963.tif 000005
【図４】
2005226963.tif 000006
【図５】
2005226963.tif 000007
【図６】
2005226963.tif 000008
【図７】
2005226963.tif 000009
【図８】
2005226963.tif 000010